【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
押圧操作に応じて泡を吐出する泡吐出容器であって、
前記押圧操作による押圧方向に対する反対方向に開口していて、前記泡を吐出する吐出口と、
前記泡を受け取る被吐出体と前記吐出口との距離を一定に維持する押圧部と、
を備え、
前記吐出口は、前記反対方向に向けて起立するノズル形成壁の先端に形成されており、
前記押圧部は、前記反対方向に向けて前記吐出口よりも延出しており、
前記押圧部は、前記吐出口から外方向に離間した位置において起立している起立部と、当該押圧部の内側の領域と外側の領域とを相互に連通させる連通部と、を有する泡吐出容器。
【請求項２】
前記泡を吐出する一次吐出口と、
前記一次吐出口から吐出された前記泡が内部空間に広がる前室と、
前記前室を間に挟んで前記一次吐出口と対向して配置されており、前記吐出口が形成されている対向部と、
を備える請求項１に記載の泡吐出容器。
【請求項３】
前記泡を吐出する一次吐出口を有する一次板状部と、
前記一次吐出口から吐出された前記泡が内部空間に広がる前室と、
前記前室を間に挟んで前記一次吐出口と対向して配置されており、前記吐出口が形成されている対向部と、
を備え、
前記対向部は、前記前室を間に挟んで前記一次板状部と対向して配置されているとともに前記吐出口が形成された板状部を含んで構成され、
前記前室は、前記一次板状部と前記板状部との間において起立している包囲壁によって囲まれた領域であり、
当該泡吐出容器を前記押圧方向に視たときに、前記押圧部の内側に前記包囲壁が収まっており、且つ、前記包囲壁の内側に前記吐出口及び前記一次吐出口が収まっている請求項２に記載の泡吐出容器。
【請求項４】
当該泡吐出容器を前記押圧方向に視たときに、前記対向部が前記一次吐出口の少なくとも一部分を覆っている請求項２又は３に記載の泡吐出容器。
【請求項５】
前記対向部は、前記一次吐出口側に向けて突出している突起部を含んで構成され、
当該泡吐出容器を前記押圧方向に視たときに、前記突起部が前記一次吐出口の少なくとも一部分と重なっている請求項４に記載の泡吐出容器。
【請求項６】
前記吐出口は、第１吐出領域と第２吐出領域とを含んで構成され、
当該泡吐出容器は、前記一次吐出口から前記前室に吐出される前記泡が前記第１吐出領域へ流動することを阻害する阻害部と、前記一次吐出口から前記前室に吐出される前記泡を前記第２吐出領域へ誘導する誘導部と、の一方又は両方を備えている請求項２から５のいずれか一項に記載の泡吐出容器。
【請求項７】
前記吐出口より吐出された前記泡は、所定の目的形状に形成されている請求項１から６のいずれか一項に記載の泡吐出容器。
【請求項８】
前記吐出口は、非円形形状であるか、又は、複数の開口を含んで構成されている請求項１から７のいずれか一項に記載の泡吐出容器。
【請求項９】
前記連通部は、前記押圧部に形成された１つ又は複数の孔又は切欠形状部である請求項１から８のいずれか一項に記載の泡吐出容器。
【請求項１０】
当該泡吐出容器は、手動式のポンプ容器であり、
当該泡吐出容器は、口頸部を有し液剤を貯留する容器本体と、泡吐出キャップと、を備え、
前記泡吐出キャップは、前記容器本体に装着されているキャップと、前記キャップに装着されている泡吐出ヘッドと、を備え、前記押圧操作により前記泡吐出ヘッドが前記容器本体に対して相対的に押圧されることによって、前記液剤を泡化して前記吐出口から前記泡を吐出するように構成されており、
前記泡吐出キャップは、前記口頸部を囲む状態で当該口頸部に装着されている筒状の装着部と、前記押圧部から前記容器本体側に向けて延びていて前記装着部又は前記容器本体の周囲を覆っている筒状部と、を有し、
前記連通部は、前記筒状部の内周面と前記装着部の外周面との間隙であり、
前記押圧部の内側の領域が、前記筒状部の内部空間と、前記連通部とを介して、当該泡吐出容器の外部空間と連通している請求項１から８のいずれか一項に記載の泡吐出容器。
【請求項１１】
液剤を貯留する容器本体に装着して用いられ、押圧操作に応じて泡を吐出する泡吐出キャップであって、
前記押圧操作の押圧方向に対する反対方向に開口していて、前記泡を吐出する吐出口と、
前記泡を受け取る被吐出体と前記吐出口との距離を一定に維持する押圧部と、
を備え、
前記吐出口は、前記反対方向に向けて起立するノズル形成壁の先端に形成されており、
前記押圧部は、前記反対方向に向けて前記吐出口よりも延出しており、
前記押圧部は、前記吐出口から外方向に離間した位置において起立している起立部と、当該押圧部の内側の領域と外側の領域とを相互に連通させる連通部と、を有する泡吐出キャップ。
【請求項１２】
液剤を貯留する容器本体に装着されるキャップに装着して用いられ、押圧操作に応じて泡を吐出する泡吐出ヘッドであって、
前記押圧操作の押圧方向に対する反対方向に開口していて、前記泡を吐出する吐出口と、
前記泡を受け取る被吐出体と前記吐出口との距離を一定に維持する押圧部と、
を備え、
前記吐出口は、前記反対方向に向けて起立するノズル形成壁の先端に形成されており、
前記押圧部は、前記反対方向に向けて前記吐出口よりも延出しており、
前記押圧部は、前記吐出口から外方向に離間した位置において起立している起立部と、当該押圧部の内側の領域と外側の領域とを相互に連通させる連通部と、を有する泡吐出ヘッド。
【請求項１３】
液剤を貯留する容器本体と、
前記容器本体に装着され、前記押圧操作に応じて前記泡を吐出する泡吐出キャップと、
を備え、
前記泡吐出キャップは、前記吐出口と前記押圧部とを備えているとともに、前記容器本体が前記押圧部に対して相対的に前記反対方向に移動することにより前記液剤から前記泡を生成して前記吐出口から前記泡を吐出させるポンプ部を備えており、
前記容器本体は、前記押圧操作の際に使用者に把持及び押圧される操作部である請求項１から１０のいずれか一項に記載の泡吐出容器。
【請求項１４】
当該泡吐出容器は、前記吐出口を下向きにして前記押圧部が載置面に接触する状態で自立可能である請求項１３に記載の泡吐出容器。
【請求項１５】
前記泡吐出キャップは、前記容器本体内の前記液剤を前記ポンプ部に供給するディップチューブを備え、
前記吐出口が下向きの状態で前記ディップチューブの先端の吸入口が前記容器本体内の前記液剤の液面よりも下に位置する請求項１３又は１４に記載の泡吐出容器。
【請求項１６】
前記容器本体は、口頸部を有し、
前記泡吐出キャップは、前記口頸部を囲む状態で当該口頸部に装着されている筒状の装着部と、前記押圧部から前記容器本体側に向けて延びていて前記装着部又は前記容器本体の周囲を覆っている筒状部と、を有し、
前記押圧部は、前記吐出口の周囲を包囲しているとともに前記吐出口よりも前記反対方向に向けて起立している環状の起立壁であり、
前記押圧部の内部空間が、前記筒状部の内部空間と、前記筒状部の内周面と前記装着部又は前記容器本体の外周面との間隙と、を介して、当該泡吐出容器の外部空間と連通している請求項１３から１５のいずれか一項に記載の泡吐出容器。
【請求項１７】
当該泡吐出容器は、液剤を貯留する容器本体を備え、前記吐出口が上向きの正立状態及び前記吐出口が下向きの倒立状態の双方において使用可能な正倒立泡吐出容器である、請求項１から１０のいずれか一項、又は、請求項１３から１６のいずれか一項に記載の泡吐出容器。
【請求項１８】
請求項１７に記載の泡吐出容器を用いて泡を被吐出体に付着させる方法であって、
前記押圧部を前記被吐出体に当てた状態で、前記押圧部又は前記容器本体を押圧操作して、前記押圧部と前記容器本体との相対的距離を近付けることで、前記吐出口から吐出した泡を被吐出体に付着させる、泡吐出方法。
【請求項１９】
押圧操作に応じて液剤を吐出する液剤吐出容器であって、
液剤を貯留する容器本体と、
前記容器本体に装着され、前記押圧操作に応じて前記液剤を吐出する液剤吐出キャップと、
を備え、
前記液剤吐出キャップは、
前記押圧操作による押圧方向に対する反対方向に開口していて、前記液剤を吐出する吐出口と、
前記液剤を受け取る被吐出体と前記吐出口との距離を一定に維持する押圧部と、
前記容器本体が前記押圧部に対して相対的に前記反対方向に移動することにより前記吐出口から前記液剤を吐出させるポンプ部と、
を備え、
前記容器本体は、前記押圧操作の際に使用者に把持及び押圧される操作部であり、
前記吐出口は、前記反対方向に向けて起立するノズル形成壁の先端に形成されており、
前記押圧部は、前記反対方向に向けて前記吐出口よりも延出しており、
前記押圧部は、前記吐出口から外方向に離間した位置において起立している起立部と、当該押圧部の内側の領域と外側の領域とを相互に連通させる連通部と、を有する液剤吐出容器。
【請求項２０】
当該液剤吐出容器は、前記吐出口を下向きにして前記押圧部が載置面に接触する状態で自立可能である請求項１９に記載の液剤吐出容器。
【請求項２１】
前記容器本体内の前記液剤の粘度が、２０℃において１０００ｍＰａ・ｓ以上１０００００ｍＰａ・ｓ以下である請求項１９又は２０に記載の液剤吐出容器。
【請求項２２】
前記吐出口より吐出された前記液剤は、所定の目的形状に形成されている請求項１９から２１のいずれか一項に記載の液剤吐出容器。
【手続補正２】
【補正対象書類名】明細書
【補正対象項目名】０００８
【補正方法】変更
【補正の内容】
【０００８】
また、本発明は、押圧操作に応じて液剤を吐出する液剤吐出容器であって、
液剤を貯留する容器本体と、
前記容器本体に装着され、前記押圧操作に応じて前記液剤を吐出する液剤吐出キャップと、
を備え、
前記液剤吐出キャップは、
前記押圧操作による押圧方向に対する反対方向に開口していて、前記液剤を吐出する吐出口と、
前記液剤を受け取る被吐出体と前記吐出口との距離を一定に維持する押圧部と、
前記容器本体が前記押圧部に対して相対的に前記反対方向に移動することにより前記吐出口から前記液剤を吐出させるポンプ部と、
を備え、
前記容器本体は、前記押圧操作の際に使用者に把持及び押圧される操作部である液剤吐出容器に関する。
【手続補正３】
【補正対象書類名】明細書
【補正対象項目名】００９８
【補正方法】変更
【補正の内容】
【００９８】
このように、泡吐出容器１００は、液剤１０１を貯留する容器本体１０と、容器本体１０に装着され押圧操作に応じて泡を吐出する泡吐出キャップ２００と、を備え、泡吐出キャップ２００は、吐出口８３と押圧部８５とを備えているとともに、容器本体１０が押圧部８５に対して相対的に上記反対方向に移動することにより液剤１０１を泡に生成して吐出口８３から泡を吐出させるポンプ部１２０を備えており、容器本体１０は、押圧操作の際に使用者に把持及び押圧される操作部である。
【手続補正４】
【補正対象書類名】明細書
【補正対象項目名】０１１４
【補正方法】変更
【補正の内容】
【０１１４】
本実施形態の場合も、第８及び第９の実施形態と同様に、使用者は、容器本体１０を把持して泡吐出容器１００を用いることができる。
すなわち、泡吐出容器１００は、液剤１０１を貯留する容器本体１０と、容器本体１０に装着され押圧操作に応じて泡を吐出する泡吐出キャップ２００と、を備え、泡吐出キャップ２００は、吐出口８３と押圧部８５とを備えているとともに、容器本体１０が押圧部８５に対して相対的に上記反対方向に移動することにより液剤１０１を泡に生成して吐出口８３から泡を吐出させるポンプ部１２０を備えており、容器本体１０は、押圧操作の際に使用者に把持及び押圧される押圧部である。本実施形態に係る泡吐出容器１００の泡吐出ヘッド３００に対する押圧操作は、押圧部８５を被吐出体４０に当てた状態で、容器本体１０を被吐出体４０に向けた方向に押圧することにより行われる。
【手続補正５】
【補正対象書類名】明細書
【補正対象項目名】０１１８
【補正方法】変更
【補正の内容】
【０１１８】
また、本実施形態の場合、泡吐出容器１００において吐出口８３とは反対側の部分（本実施形態では頂部１５）は、載置面に載置されない部分、すなわち非載置部として形成されている。図２７に示すように押圧部８５が載置面に接触する状態で泡吐出容器１００が自立したときの容器本体１０の頂部１５は、当該容器本体１０の外方に向けて凸の形状に形成されており、好ましくは当該容器本体１０の外方に向けて凸の曲面形状に形成されており、更に好ましくは上方に向けて凸の半球状の形状に形成されている。
このため、本実施形態では、泡吐出容器１００において吐出口８３とは反対側の部分である頂部１５は、当該頂部１５が接地する姿勢では泡吐出容器１００が自立不能な非載置部となっている。
頂部１５が半球状であるため、例えば、頂部１５を手で包み込むようにして容器本体１０を把持し、容器本体１０を操作部として押圧部８５に対して相対的に上記反対方向に移動させる操作を好適に行うことができる。なお、頂部１５の形状は半球状に限られず、傾斜面を具備する形状、円錐形状、四角錐形状等でもよい。
【手続補正６】
【補正対象書類名】明細書
【補正対象項目名】０１２３
【補正方法】変更
【補正の内容】
【０１２３】
また、本実施形態の場合、図２７に示すように押圧部８５が載置面に接触する状態で泡吐出容器１００が自立したときの泡吐出キャップ２００の少なくとも下部は、裾広がりの形状に形成されている。また、泡吐出キャップ２００は、上記反対方向に向けて拡径している。
このため、泡吐出容器１００がより安定的に図２７の姿勢で自立することができるようになっている。
より詳細には、第２外筒部７０１の少なくとも下部（例えば、上部７０１ａの下部と下部７０１ｂとを含む部分）は、裾広がりの形状となっている。すなわち、第２外筒部７０１の少なくとも下部は、下方に向けて徐々に拡径している。
更に、押圧部８５も、裾広がりの形状となっている（下方（上記反対方向）に向けて徐々に拡径している）。
そして、泡吐出キャップ２００の外周面は、第２外筒部７０１から押圧部８５にかけて連続的な曲面形状となっており、第２外筒部７０１の下部と押圧部８５とを含む部分が裾広がりとなっている。
【手続補正７】
【補正対象書類名】明細書
【補正対象項目名】０１３０
【補正方法】変更
【補正の内容】
【０１３０】
なお、本実施形態の場合、間隙７０３は、容器本体１０が上記反対方向に操作される際に装着部１１１と第２外筒部７０１とが互いにガイドされるほどには狭くは無い。
ただし、本発明は、この例に限らず、間隙７０３がより狭く形成されており、容器本体１０が上記反対方向に操作される際に装着部１１１と第２外筒部７０１とが互いにガイドされるようになっていてもよい。
【手続補正８】
【補正対象書類名】明細書
【補正対象項目名】０１３５
【補正方法】変更
【補正の内容】
【０１３５】
本実施形態に係る液剤吐出容器５００は、押圧操作に応じて液剤を吐出する液剤吐出容器５００であって、液剤１０１を貯留する容器本体１０と、容器本体１０に装着され押圧操作に応じて液剤１０１を吐出する液剤吐出キャップ６００と、を備えている。
液剤吐出キャップ６００は、押圧操作による押圧方向に対する反対方向に開口していて液剤１０１を吐出する吐出口８３と、液剤１０１を受け取る被吐出体４０と吐出口８３との距離を一定に維持する押圧部８５と、容器本体１０が押圧部８５に対して相対的に上記反対方向に移動することにより吐出口８３から液剤１０１を吐出させるポンプ部１２０と、を備えている。
そして、容器本体１０は、押圧操作の際に使用者に把持及び押圧される操作部である。
本実施形態の場合における各種の定義のうち、上記の各実施形態と同様のものについては、説明を省略する。
【手続補正９】
【補正対象書類名】明細書
【補正対象項目名】０１６９
【補正方法】変更
【補正の内容】
【０１６９】
〔１１〕液剤を貯留する容器本体と、前記容器本体に装着され、前記押圧操作に応じて前記泡を吐出する泡吐出キャップと、を備え、前記泡吐出キャップは、前記吐出口と前記押圧部とを備えているとともに、前記容器本体が前記押圧部に対して相対的に前記反対方向に移動することにより前記液剤を前記泡に生成して前記吐出口から前記泡を吐出させるポンプ部を備えており、前記容器本体は、前記押圧操作の際に使用者に把持及び押圧される操作部である〔１〕から〔１０〕のいずれか一項に記載の泡吐出容器。
〔１２〕当該泡吐出容器は、前記吐出口を下向きにして前記押圧部が載置面に接触する状態で自立可能である〔１１〕に記載の泡吐出容器。
〔１３〕前記押圧部が載置面に接触する状態で当該泡吐出容器が自立したときの前記泡吐出キャップの少なくとも下部は、裾広がりの形状に形成されている〔１１〕又は〔１２〕に記載の泡吐出容器。
〔１４〕前記押圧部が載置面に接触する状態で当該泡吐出容器が自立したときの前記容器本体の頂部は、当該容器本体の外方に向けて凸の曲面形状に形成されている〔１１〕から〔１３〕のいずれか一項に記載の泡吐出容器。
〔１５〕当該泡吐出容器において前記吐出口とは反対側の部分は、当該部分が接地する姿勢では当該泡吐出容器が自立不能な非載置部となっている〔１〕から〔１４〕のいずれか一項に記載の泡吐出容器。
〔１６〕前記泡吐出キャップは、前記容器本体内の前記液剤を前記ポンプ部に供給するディップチューブを備え、前記吐出口が下向きの状態で前記ディップチューブの先端の吸入口が前記容器本体内の前記液剤の液面よりも下に位置する〔１１〕から〔１５〕のいずれか一項に記載の泡吐出容器。
〔１７〕前記容器本体は、口頸部を有し、前記泡吐出キャップは、前記口頸部を囲む状態で当該口頸部に装着されている筒状の装着部と、前記押圧部から前記容器本体側に向けて延びていて前記装着部又は前記容器本体の周囲を覆っている筒状部と、を有し、前記押圧部は、前記吐出口の周囲を包囲しているとともに前記吐出口よりも前記反対方向に向けて起立している環状の起立壁であり、前記押圧部の内部空間が、前記筒状部の内部空間と、前記筒状部の内周面と前記装着部又は前記容器本体の外周面との間隙と、を介して、当該泡吐出容器の外部空間と連通している〔１１〕から〔１６〕のいずれか一項に記載の泡吐出容器。
〔１８〕前記容器本体は、口頸部を有し、前記泡吐出キャップは、前記口頸部を囲む状態で当該口頸部に装着されている筒状の装着部と、前記押圧部から前記容器本体側に向けて延びていて前記装着部又は前記容器本体と同軸に配置されている筒状部と、を有し、前記押圧操作の際に、前記筒状部と前記装着部又は前記容器本体とが互いにガイドする〔１１〕から〔１７〕のいずれか一項に記載の泡吐出容器。
【手続補正１０】
【補正対象書類名】明細書
【補正対象項目名】０１７２
【補正方法】変更
【補正の内容】
【０１７２】
〔４５〕押圧操作に応じて液剤を吐出する液剤吐出容器であって、液剤を貯留する容器本体と、前記容器本体に装着され、前記押圧操作に応じて前記液剤を吐出する液剤吐出キャップと、を備え、前記液剤吐出キャップは、前記押圧操作による押圧方向に対する反対方向に開口していて、前記液剤を吐出する吐出口と、前記液剤を受け取る被吐出体と前記吐出口との距離を一定に維持する押圧部と、前記容器本体が前記押圧部に対して相対的に前記反対方向に移動することにより前記吐出口から前記液剤を吐出させるポンプ部と、を備え、前記容器本体は、前記押圧操作の際に使用者に把持及び押圧される操作部である液剤吐出容器。
〔４６〕当該液剤吐出容器は、前記吐出口を下向きにして前記押圧部が載置面に接触する状態で自立可能である〔４５〕に記載の液剤吐出容器。
〔４７〕前記押圧部が載置面に接触する状態で当該液剤吐出容器が自立したときの前記液剤吐出キャップの少なくとも下部は、裾広がりの形状に形成されている〔４５〕又は〔４６〕に記載の液剤吐出容器。
〔４８〕前記押圧部が載置面に接触する状態で当該液剤吐出容器が自立したときの前記容器本体の頂部は、当該容器本体の外方に向けて凸の曲面形状に形成されている〔４５〕から〔４７〕のいずれか一項に記載の液剤吐出容器。
〔４９〕当該液剤吐出容器において前記吐出口とは反対側の部分は、当該部分が接地する姿勢では当該液剤吐出容器が自立不能な非載置部となっている〔４５〕から〔４８〕のいずれか一項に記載の液剤吐出容器。
〔５０〕前記液剤吐出キャップは、前記容器本体内の前記液剤を前記ポンプ部に供給するディップチューブを備え、前記吐出口が下向きの状態で前記ディップチューブの先端の吸入口が前記容器本体内の前記液剤の液面よりも下に位置する〔４５〕から〔４９〕のいずれか一項に記載の液剤吐出容器。
〔５１〕前記容器本体は、口頸部を有し、前記液剤吐出キャップは、前記口頸部を囲む状態で当該口頸部に装着されている筒状の装着部と、前記押圧部から前記容器本体側に向けて延びていて前記装着部又は前記容器本体の周囲を覆っている筒状部と、を有し、前記押圧部は、前記吐出口の周囲を包囲しているとともに前記吐出口よりも前記反対方向に向けて起立している環状の起立壁であり、前記押圧部の内部空間が、前記筒状部の内部空間と、前記筒状部の内周面と前記装着部又は前記容器本体の外周面との間隙と、を介して、当該液剤吐出容器の外部空間と連通している〔４５〕から〔５０〕のいずれか一項に記載の液剤吐出容器。
〔５２〕前記容器本体は、口頸部を有し、前記液剤吐出キャップは、前記口頸部を囲む状態で当該口頸部に装着されている筒状の装着部と、前記押圧部から前記容器本体側に向けて延びていて前記装着部又は前記容器本体と同軸に配置されている筒状部と、を有し、前記押圧操作の際に、前記筒状部と前記装着部又は前記容器本体とが互いにガイドする〔４５〕から〔５１〕のいずれか一項に記載の液剤吐出容器。
〔５３〕前記容器本体内の前記液剤の粘度が、２０℃において１０００ｍＰａ・ｓ以上１０００００ｍＰａ・ｓ以下である〔４５〕から〔５２〕のいずれか一項に記載の液剤吐出容器。
〔５４〕前記吐出口より吐出された前記液剤は、所定の目的形状に形成されている〔４５〕から〔５３〕のいずれか一項に記載の液剤吐出容器。
〔５５〕前記吐出口は、非円形形状であるか、又は、複数の開口を含んで構成されている〔４５〕から〔５４〕のいずれか一項に記載の液剤吐出容器。